(57)【要約】【課題】受信機において、簡便な構成により良好な精度でキャリアの検出を行うことができるようにする。【解決手段】ＰＬＬシンセサイザにより局部発振信号を生成する局発手段２２と、受信した高周波信号を前記局発手段が生成する局部発振信号と混合して中間周波信号に変換する変換手段１３と、前記変換手段が出力する中間周波信号のうち、キャリアの周波数が変動し得る範囲より狭い所定範囲の帯域を通過させるキャリア検出用のフィルタ１４とを備えた受信機において、前記ＰＬＬシンセサイザの分周比を制御することによって、前記変換手段が出力する中間周波信号の周波数を、前記キャリア周波数の変動範囲に対応する範囲にわたり段階的に変化させる制御手段２１と、前記制御手段により段階的に周波数が変化され、前記フィルタを通過した各段階の中間周波信号に基づいてキャリアの有無を判定する判定手段２１とを設ける。【選択図】図１
2009038440.tif 000002
【特許請求の範囲】
【請求項１】
ＰＬＬシンセサイザにより局部発振信号を生成する局発手段と、
受信した高周波信号を前記局発手段が生成する局部発振信号と混合して中間周波信号に変換する変換手段と、
前記変換手段が出力する中間周波信号のうち、キャリアの周波数が変動し得る範囲より狭い所定範囲の帯域を通過させるキャリア検出用のフィルタと、
前記ＰＬＬシンセサイザの分周比を制御することによって、前記変換手段が出力する中間周波信号の周波数を、前記キャリア周波数の変動範囲に対応する範囲にわたり段階的に変化させる制御手段と、
前記制御手段により段階的に周波数が変化され、前記フィルタを通過した各段階の中間周波信号に基づいてキャリアの有無を判定する判定手段とを具備することを特徴とする受信機。
【請求項２】
前記キャリア周波数の変動範囲に対応する範囲の帯域を通過させる復調用のフィルタを備え、
前記制御手段による周波数の段階的な変化を受けることなく前記変換手段が出力し、該フィルタを通過した中間周波信号に基づいて復調を行う復調手段を有することを特徴とする請求項１に記載の受信機。
【請求項３】
前記判定手段によるキャリアの検出時に前記キャリア検出用フィルタを使用し、キャリア検出後の前記復調手段による復調時に前記復調用フィルタを使用するように、前記キャリア検出用フィルタ及び復調用フィルタを切り替える切替え手段を有することを特徴とする請求項２に記載の受信機。
【請求項４】
前記変換手段からの中間周波信号を前記キャリア検出用フィルタ及び復調用フィルタに分配する分配手段を有することを特徴とする請求項２又は３に記載の受信機。
【請求項５】
ＰＬＬシンセサイザにより局部発振信号を生成する局発手段と、
受信した高周波信号を前記局発手段が生成する局部発振信号と混合して中間周波信号に変換する変換手段と、
前記変換手段が出力する中間周波信号のうち、キャリアの周波数が変動し得る範囲より狭い所定範囲の帯域を通過させるフィルタとを備える受信機におけるキャリアの検出方法であって、
前記ＰＬＬシンセサイザの分周比を制御することによって、前記変換手段が出力する中間周波信号の周波数を、前記キャリア周波数の変動範囲に対応する範囲にわたり段階的に変化させる制御工程と、
前記制御工程により段階的に周波数が変化され、前記フィルタを通過した各段階の中間周波信号に基づいてキャリアの有無を判定する判定工程とを具備することを特徴とするキャリア検出方法。
【発明の詳細な説明】
【技術分野】
【０００１】
本発明は、受信した高周波信号をＰＬＬシンセサイザにより生成した局部発振信号と混合して中間周波信号に変換する受信機、及び該受信機におけるキャリアの検出方法に関する。
【背景技術】
【０００２】
従来、受信機においては、目的とするキャリアの占有帯域に相当する帯域を帯域通過フィルタにより抽出し、その帯域内に含まれる電力の総和を電圧に変換したＲＳＳＩ信号（受信信号強度表示信号）に基づいてキャリアの有無を判定するようにしている。その際、周回衛星を利用した衛星通信の場合には、衛星が高速で移動しているため、ドップラー効果により、受信するキャリアの周波数が±１０［ｋＨｚ］程度ドップラーシフトする。つまり衛星の接近又は離間に伴い、キャリアの周波数が本来の周波数より高くなったり低くなったりする。
【０００３】
このように、キャリアの占有帯域幅よりも、キャリアの周波数変動範囲が大きい場合には、受信周波数をキャリアの本来の中心周波数に固定していると、受信するキャリアの中心周波数が占有帯域の外側にずれたときに、キャリアを検出することができなくなるおそれがある。そこで、このようなキャリア周波数の変動による不都合を回避するため、一般に、次の図４〜図５の受信機で採用されているような３つの方法が用いられている。
【０００４】
図４はキャリア周波数の変動による不都合を回避する第１の方法を採用した従来の受信機の構成を示すブロック図である。同図に示すように、この受信機４は、人工衛星１０から空中線４１を介して受信したＲＦ（高周波）受信信号を増幅する低雑音増幅器４２、低雑音増幅器４２によって増幅された信号を、ローカル信号と混合してＩＦ（中間周波数）信号に変換する周波数変換器４３、周波数変換器４３からのＩＦ信号から所定の帯域を抽出するＩＦ帯域通過フィルタ４４、フィルタ４４の出力に基づいてＲＳＳＩ信号を生成するＲＳＳＩ生成回路４５、ＲＳＳＩ生成回路４５の出力に基づいてＲＳＳＩ信号の電圧を判定するＲＳＳＩ電圧判定回路４６、フィルタ４４の出力に基づいて復調を行う復調回路４７、ＲＳＳＩ電圧判定回路４６や復調回路４７の出力に基づいて必要な処理を行うＣＰＵ４８、周波数変換器４３に対して上記ローカル信号を供給するローカル信号生成回路４９、及びＣＰＵ４８の指示に基づいてローカル信号生成回路４９が生成するローカル信号の周波数を制御する周波数可変制御回路５０を備える。ＩＦ帯域通過フィルタ４４は帯域幅がキャリアの占有帯域幅に相当するたとえば１［ｋＨｚ］程度の狭帯域のフィルタである。
【０００５】
この構成において、周回衛星である人工衛星１０からアンテナ４１を経て受信したＲＦ受信信号は、低雑音増幅器４２で増幅され、周波数変換器４３によってＩＦ信号に変換され、さらにＩＦ帯域通過フィルタ４４を経て、キャリアの占有帯域幅に相当する部分がＲＳＳＩ生成回路４５に入力される。これに基づき、ＲＳＳＩ生成回路４５は、その帯域内に含まれる電力の総和を電圧に変換したＲＳＳＩ信号を生成する。そして、このＲＳＳＩ信号に基づき、ＲＳＳＩ電圧判定回路４６は電圧に関する判定を行い、その結果をＣＰＵ４８に供給する。この判定結果に基づき、ＣＰＵ４８は、キャリアの有無を知ることができる。
【０００６】
その際、ドップラーシフトによってキャリア検出が不能となるのを防止するため、キャリアの占有帯域幅に相当する狭帯域幅のＩＦ帯域通過フィルタ４４を使用し、ドップラーシフトによってキャリア周波数が変動する範囲の帯域内をスキャンするようにしている。すなわち、周波数が変動したＲＦ受信信号をＩＦ信号に変換するとき、周波数変換器４３に注入するローカル信号の周波数を変化させ、ＩＦ信号中のキャリアがＩＦ帯域通過フィルタ４４の中心周波数に合致するように制御してＲＳＳＩ信号を生成し、そのＲＳＳＩ信号の大きさに基づいて、キャリアの有無を判定する。
【０００７】
図５はキャリア周波数の変動による不都合を回避する第２の方法を採用した従来の受信機を示す。この受信機５は同図に示すように、図４の受信機において、狭帯域のＩＦ帯域通過フィルタ４４の代わりに広帯域のＩＦ帯域通過フィルタ５１を設けるとともに、周波数可変制御回路５０を除去したものに相当する。ＩＦ帯域通過フィルタ５１は、キャリア周波数の変動範囲と同程度のたとえばキャリア占有帯域の３０倍程度の広い通過帯域を有する。
【０００８】
この受信機においては、ドップラーシフトによってキャリア検出が不能となるのを防止するために、ＩＦ帯域通過フィルタ５１を通過する信号成分、すなわちキャリア周波数が変動し得る全範囲の周波数成分に基づいてＲＳＳＩ信号を生成する。そして、このＲＳＳＩ信号の大きさに基づいて受信信号の有無を判定するようにしている。
【０００９】
図６はキャリア周波数の変動による不都合を回避する第３の方法を採用した従来の受信機を示す。この受信機６は、同図に示すように、図５の受信機におけるＲＳＳＩ生成回路４５、ＲＳＳＩ電圧判定回路４６、及び復調回路４７と同様の機能をＤＳＰ（デジタル信号プロセッサ）６１により行うようにしている。
【００１０】
この受信機においては、ドップラーシフトによってキャリア検出が不能となるのを防止するために、広帯域のＩＦ帯域通過フィルタ５１を通過してくる信号成分を、それよりも狭い帯域幅でスキャンする（より詳しく調べる）ことにより、キャリアの有無を判定するようにしている。つまり、ＩＦ帯域通過フィルタ５１からは、キャリア周波数の変動範囲と同程度、たとえばキャリアの占有帯域幅の３０倍程度の帯域の信号成分が出力される。ＤＳＰ６１はこの成分から、キャリアの占有帯域幅に相当する狭帯域の成分を周波数を変えながら順次抽出し、抽出した各成分毎にＲＳＳＩ信号を生成し、各ＲＳＳＩ信号の大きさに基づいて受信信号の有無を判定するようにしている。
【００１１】
なお、これらに関連する技術として、移動体通信におけるドップラーシフトを補償する技術が知られている（たとえば、特許文献１参照）。この技術においては、受信した電波の周波数変動を検出し、検出した周波数の変動量に応じて送信周波数を制御することによりドップラー効果の影響を排除するようにしている。
【００１２】
【特許文献１】特開平０４−１１１６１８号公報
【発明の開示】
【発明が解決しようとする課題】
【００１３】
上述のように、ＲＳＳＩ信号は、受信信号の電力の大きさを電圧に変換した信号であるが、目的とするキャリアの電力だけではなく、ＲＳＳＩ生成回路に入力される雑音や妨害電波等の不要信号の電力の総和を電圧に変換したものである。このため、ＲＳＳＩ生成回路に入力されるＩＦ信号について、狭帯域のＩＦ帯域通過フィルタのような帯域制限回路によって最適な帯域幅となるように帯域制限を行わない場合には、キャリアの検出精度が低下する。
【００１４】
この点、上述図４の受信機によれば、帯域制限のために狭帯域のＩＦ帯域通過フィルタ４４を使用しているので、確度の高いキャリア検出を行うことができる。しかしながらこれによれば、キャリア周波数の変動範囲であると考えられる帯域内をすべて調査するために、連続して周波数を変更しながらスキャンすることを可能とするためのローカル信号生成回路４９が必要となる。このようなローカル信号生成回路４９は複雑で、制御方法が困難であるとともに、電力消費量も多い。
【００１５】
一方、上述図５の受信機によれば、帯域制限のためにキャリア周波数の変動幅に相当する広帯域（キャリアの占有帯域幅の３０倍）のＩＦ帯域通過フィルタ５１を使用し、これを通過した広帯域のＩＦ信号に基づいてＲＳＳＩ信号を生成するようにしているので、ローカル信号の周波数は固定されており、簡単で安価ではある。しかし、帯域制限幅が広いため、余分な雑音の電力も含めてＲＳＳＩ信号に変換されてしまうので、キャリア検出精度が低い。
【００１６】
上述図６の受信機によれば、帯域制限のためにキャリア周波数の変動幅に相当する広帯域（キャリアの占有帯域幅の３０倍）のＩＦ帯域通過フィルタ５１を使用し、これを通過した広帯域のＩＦ信号を一括してデジタル信号に変換するようにしている。そしてこの信号について、ＤＳＰ６１により、キャリアの占有帯域に相当する狭帯域となるように帯域制限を行い、キャリア周波数の変動幅にわたるスキャンをデジタル信号処理によって実施しながらＲＳＳＩ信号を生成するようにようにしている。このため、キャリアの検出精度は非常に良好である。しかし、ＤＳＰ６１における消費電力が非常に大きい。また、デジタル処理はソフトウェアで実施するため、リアルタイムでＲＳＳＩ信号を得ることができない。
【００１７】
本発明の目的は、このような従来技術の問題点に鑑み、受信機において、簡便な構成により良好な精度でキャリアの検出を行うことができるようにすることにある。
【課題を解決するための手段】
【００１８】
この目的を達成するため、第１の発明に係る受信機は、ＰＬＬシンセサイザにより局部発振信号を生成する局発手段と、受信した高周波信号を前記局発手段が生成する局部発振信号と混合して中間周波信号に変換する変換手段と、前記変換手段が出力する中間周波信号のうち、キャリアの周波数が変動し得る範囲より狭い所定範囲の帯域を通過させるキャリア検出用のフィルタと、前記ＰＬＬシンセサイザの分周比を制御することによって、前記変換手段が出力する中間周波信号の周波数を、前記キャリア周波数の変動範囲に対応する範囲にわたり段階的に変化させる制御手段と、前記制御手段により段階的に周波数が変化され、前記フィルタを通過した各段階の中間周波信号に基づいてキャリアの有無を判定する判定手段とを具備することを特徴とする。
【００１９】
ここで、キャリアの周波数が変動し得る範囲としては、たとえば、キャリアの占有帯域幅ＯＢＷの３０倍程度（３０×ＯＢＷ）の幅を有する範囲が該当する。キャリアの周波数が変動し得る範囲より狭い所定範囲の帯域としては、たとえば、帯域幅ＢＷがキャリアの占有帯域幅ＯＢＷの７倍（ＢＷ＝７×ＯＢＷ）や１倍（ＢＷ＝ＯＢＷ）で、中心周波数が本来のキャリア周波数に一致するものが該当する。キャリアの占有帯域幅ＯＢＷとしてはたとえば、１［ｋＨｚ］が該当する。
【００２０】
この構成において、キャリア検出期間においては、変換手段が出力する中間周波信号の周波数が、ドップラーシフト等によりキャリア周波数が変動し得る範囲に対応する範囲にわたって段階的に変化するように、ＰＬＬシンセサイザの分周比が制御される。そして、変化の各段階において、キャリア検出用フィルタを通過した中間周波信号に基づいて、キャリアの有無が判定され、キャリアの検出が行われる。キャリア検出用フィルタを通過した中間周波信号は、キャリア周波数が変動し得る範囲よりも帯域が制限されているため、その分、該範囲全体の中間周波信号に基づいてキャリア検出を行う場合に比べ、検出精度が高い。
【００２１】
第２の発明に係る受信機は、第１発明において、前記キャリア周波数の変動範囲に対応する範囲の帯域を通過させる復調用のフィルタを備え、前記制御手段による周波数の段階的な変化を受けることなく前記変換手段が出力し、該フィルタを通過した中間周波信号に基づいて復調を行う復調手段を有することを特徴とする。
【００２２】
第３の発明に係る受信機は、第２発明において、前記判定手段によるキャリアの検出時に前記キャリア検出用フィルタを使用し、キャリア検出後の前記復調手段による復調時に前記復調用フィルタを使用するように、前記キャリア検出用フィルタ及び復調用フィルタを切り替える切替え手段を有することを特徴とする。
【００２３】
第４の発明に係る受信機は、第２又は第３発明において、前記変換手段からの中間周波信号を前記キャリア検出用フィルタ及び復調用フィルタに分配する分配手段を有することを特徴とする。
【００２４】
第５の発明に係るキャリア検出方法は、ＰＬＬシンセサイザにより局部発振信号を生成する局発手段と、受信した高周波信号を前記局発手段が生成する局部発振信号と混合して中間周波信号に変換する変換手段と、前記変換手段が出力する中間周波信号のうち、キャリアの周波数が変動し得る範囲より狭い範囲の帯域を通過させるフィルタとを備える受信機におけるキャリアの検出方法であって、前記ＰＬＬシンセサイザの分周比を制御することによって、前記変換手段が出力する中間周波信号の周波数を、前記キャリア周波数の変動範囲に対応する範囲にわたり段階的に変化させる制御工程と、前記制御工程により段階的に周波数が変化され、前記フィルタを通過した各段階の中間周波信号に基づいてキャリアの有無を判定する判定工程とを具備することを特徴とする。
【発明の効果】
【００２５】
本発明によれば、ＰＬＬシンセサイザにおける分周比を制御することにより段階的に中間周波信号の周波数を変化させながら、キャリア周波数の変動範囲より狭い帯域のキャリア検出用フィルタを通過する各変化段階の中間周波信号に基づいてキャリアの有無を検出するようにしたため、簡便な構成により、良好な精度でキャリアの検出を行うことができる。
【発明を実施するための最良の形態】
【００２６】
図１は本発明の第１の実施形態に係る受信機の構成を示すブロック図である。同図に示すようにこの受信機１は、人工衛星１０から空中線１１を介して受信したＲＦ（高周波）信号を増幅する低雑音増幅器１２、低雑音増幅器１２によって増幅された信号を、ローカル信号と混合してＩＦ信号（中間周波信号）に変換する周波数変換器１３、周波数変換器１３が出力するＩＦ信号から所定の中程度の幅の帯域を抽出する中帯域のＩＦ帯域通過フィルタ１４、周波数変換器１３が出力するＩＦ信号から所定の広い幅の帯域を抽出する広帯域のＩＦ帯域通過フィルタ１５、ＩＦ帯域通過フィルタ１４又は１５のいずれを使用するかを切り替えるためにＩＦ帯域通過フィルタ１４及び１５の入力側及び出力側に設けられた切替器１６及び１７、ＩＦ帯域通過フィルタ１４の出力に基づいてＲＳＳＩ信号（受信信号強度表示信号）を生成するＲＳＳＩ生成回路１８、ＲＳＳＩ生成回路１８の出力に基づいてＲＳＳＩ信号の電圧を判定するＲＳＳＩ電圧判定回路１９、広帯域のＩＦ帯域通過フィルタ１５の出力に基づいて復調を行うＤＳＰ（デジタル信号プロセッサ）で構成された復調回路２０、ＲＳＳＩ電圧判定回路１９や復調回路２０の出力に基づいて必要な処理を行うＣＰＵ２１、ＣＰＵ２１からの指示に基づいて周波数変換器１３に対して上記ローカル信号の供給を行うローカル信号生成回路２２を備える。
【００２７】
中帯域のＩＦ帯域通過フィルタ１４は帯域幅ＢＷがキャリアの占有帯域幅ＯＢＷの７倍程度（ＢＷ＝７×ＯＢＷ）のフィルタである。広帯域のＩＦ帯域通過フィルタ１５は帯域幅ＢＷがキャリアの占有帯域幅ＯＢＷの３０倍程度（ＢＷ＝３０×ＯＢＷ）のフィルタである。
【００２８】
この構成において、キャリア検出期間においては、切替器１６及び１７の作用により、中帯域のＩＦ帯域通過フィルタ１４が使用される。キャリアが検出された後の通常の受信期間においては、広帯域のＩＦ帯域通過フィルタ１５が使用される。
【００２９】
キャリア検出期間においては、人工衛星１０から空中線１１を経て受信されたＲＦ（高周波）受信信号は低雑音増幅器１２で増幅され、周波数変換器１３によってＩＦ信号に変換される。ＩＦ信号はＩＦ帯域通過フィルタ１４によって帯域幅が制限され、ＲＳＳＩ生成回路１８に入力される。この帯域幅が制限されたＩＦ信号に基づき、ＲＳＳＩ生成回路１８は、その帯域幅に含まれる電力の総和を電圧に変換したＲＳＳＩ信号を生成する。このＲＳＳＩ信号に基づき、ＲＳＳＩ電圧判定回路１９は電圧に関する判定を行い、その結果をＣＰＵ２１に供給する。この判定結果に基づき、ＣＰＵ２１は、キャリアの有無を知ることができる。
【００３０】
その際、ＣＰＵ２１は、ローカル信号生成回路２２のＰＬＬシンセサイザにおける分周比を制御することにより、周波数変換器１３に供給されるローカル信号の周波数を所定範囲内において段階的に変化させながら、各段階毎にＲＳＳＩ信号を取得する。所定範囲とは、ドップラーシフトによるキャリア周波数の変動範囲に対応する範囲であり、キャリア周波数がその変動範囲の各端に存在するとき、該所定範囲の対応する各端においてキャリア成分がＩＦ帯域通過フィルタ１４を通過するような範囲である。つまり、キャリアが存在する場合には必ず、該所定範囲内のいずれかのローカル信号の周波数において、キャリア成分がＩＦ帯域通過フィルタ１４を通過し、検出されることになる。
【００３１】
キャリアが検出されると、ＣＰＵ２１は通常の受信状態に移行する。通常の受信期間においては、広帯域のＩＦ帯域通過フィルタ１５が出力するＩＦ信号に基づき、ＤＳＰ復調回路２０により復調が行われる。復調により得られたデータについては、ＣＰＵ２１が所定の処理を施す。なお、キャリア検出期間においては、不要なＤＳＰ復調回路２０への電力供給は停止される。
【００３２】
本実施形態によれば、キャリア検出時には中帯域の帯域通過フィルタ１４を用いるようにしたため、広帯域のＩＦ帯域通過フィルタ１５を用いてキャリア検出を行う場合に比べて、ＣＮ（キャリア・雑音比）をＩＦ帯域通過フィルタ１４及び１５の帯域の比の分だけ改善することができる。すなわち、約６［ｄＢ］改善することができる。したがって、キャリアの検出精度を向上させることができる。
【００３３】
また、ローカル信号生成回路２２のＰＬＬ回路における分周比を制御することによってローカル周波数を段階的に変化させるようにしたため、図４の従来の受信機の場合のようなローカル信号の周波数を連続的に変化させるための余分な回路を付加した複雑なローカル信号生成回路を構成する必要はなく、通常のローカル信号生成回路をそのままローカル信号生成回路２２として用いることができる。また、余分な回路が不要であるため、その分、消費電力の増加を抑制することができる。
【００３４】
また、キャリア周波数の変動範囲に対応させたローカル信号の周波数の変化を、図４の従来の受信機の場合のように連続的に行うのではなく、段階的に行うようにしたため、キャリアの検出までに要する時間を短縮することができる。
【００３５】
また、通常の受信期間においては、キャリア周波数の変動する全帯域をカバーする広帯域のＩＦ帯域通過フィルタ１５を使用するようにしたため、キャリア周波数のドップラーシフトにかかわらず、常にキャリアを受信することができる。
【００３６】
また、キャリア検出期間においては、ＤＳＰ復調回路２０への電力供給を停止するようにしたため、キャリア検出期間における消費電力の低減を図ることができる。
【００３７】
図２は本発明の第２の実施形態に係る受信機の構成を示すブロック図である。この受信機２において、図１の受信機と異なる点は、中帯域の帯域通過フィルタ１４の代わりに、キャリアの占有帯域に相当する狭帯域の帯域通過フィルタ２５を設けたことにある。
【００３８】
この場合、ローカル信号をキャリア周波数の変動範囲に対応する範囲で段階的に変化させる際の段階数は、ＩＦ帯域通過フィルタの通過帯域が中帯域から狭帯域に変わった分だけ多くなるが、その分だけキャリアの検出精度を向上させることができる。他の点については上述図１の実施形態の場合と同様である。
【００３９】
図３は本発明の第３の実施形態に係る受信機の構成を示すブロック図である。この受信機３において、図２の受信機と異なる点は、周波数変換器１３からのＩＦ信号を分配して広帯域のＩＦ帯域通過フィルタ１５及び狭帯域のＩＦ帯域通過フィルタ２５に供給する分配器３１を切替器１６の代わりに設けるとともに切替器１７を除去したことにある。すなわち、キャリア検出のための回路と、通常の受信を行うための回路とを別系統とし、それぞれの系統において帯域の異なるＩＦ帯域通過フィルタ２５又は１５を使用するようにしている。他の点については図２の実施形態の場合と同様である。これによれば、動作や構成をより簡便なものとすることができる。
【００４０】
なお、本発明は上述実施形態に限定されることなく、適宜変形して実施することができる。たとえば、上述図２の実施形態においては、キャリア検出時に使用するＩＦ信号の帯域制限用のフィルタとして、キャリアの占有帯域に相当する狭帯域の帯域通過フィルタ２５を用いるようにしているが、これに限らず、キャリア占有帯域よりも帯域の狭い極狭帯域のものを用い、さらに検出精度を向上させるようにしてもよい。
【図面の簡単な説明】
【００４１】
【図１】本発明の第１の実施形態に係る受信機の構成を示すブロック図である。
【図２】本発明の第２の実施形態に係る受信機の構成を示すブロック図である。
【図３】本発明の第３の実施形態に係る受信機の構成を示すブロック図である。
【図４】キャリア周波数の変動による不都合を回避する第１の方法を採用した従来の受信機の構成を示すブロック図である。
【図５】キャリア周波数の変動による不都合を回避する第２の方法を採用した従来の受信機を示すブロック図である。
【図６】キャリア周波数の変動による不都合を回避する第３の方法を採用した従来の受信機を示すブロック図である。
【符号の説明】
【００４２】
１〜６：受信機、１０：人工衛星、１１，４１：空中線、１２，４２：低雑音増幅器、１３，４３：周波数変換器、１４，１５，２５，４４：ＩＦ帯域通過フィルタ、１６，１７：切替器、１８，４５：ＲＳＳＩ生成回路、１９，４６：ＲＳＳＩ生成回路、２０，４７：復調回路、２１，４８：ＣＰＵ、２２，４９：ローカル信号生成回路、３１：分配器、５０：周波数可変制御回路。
【図１】
2009038440.tif 000003
【図２】
2009038440.tif 000004
【図３】
2009038440.tif 000005
【図４】
2009038440.tif 000006
【図５】
2009038440.tif 000007
【図６】
2009038440.tif 000008